(57)【要約】【課題】取得した複数の画像データを設定されたルールに従って纏まりのある形態で出力する画像処理装置を構成する。【解決手段】複数又は単一のオーダの複数のメディアＭから取得した画像データを、ソート処理手段３８が、撮影日時に基づいて撮影順に配列する、あるいは、グループ化する処理を行い、このソート処理の結果をソートテーブルとして生成する。次に、プリント実行手段３６がソートテーブルに従って画像データを配列してプリント出力を行う、又は、記録実行手段３９がソートテーブルに従って画像データを配列してＣＤ−Ｒ等の記録媒体Ｍに記録する。【選択図】図７
2007241722.tif 000002
【特許請求の範囲】
【請求項１】
画像取得ユニットで取得した複数の画像データの処理を行う画像処理装置であって、
前記画像取得ユニットにおいて複数のオーダに対応する記録済記録媒体から画像データを取得する画像データ取得手段を備えると共に、
この画像データ取得手段で取得した画像データを、オーダ単位でソートするオーダ内ソートモードでの処理と、複数のオーダに含まれる全ての画像データをソートする全ソートモードでの処理とを選択可能なソート処理手段を備え、
このソート処理手段での処理結果に従って複数の前記画像データの出力を行う出力処理手段を備えている画像処理装置。
【請求項２】
前記ソート処理手段が、画像データとともに記録された記録データに基づいてグループ分け、又は、出力順序を設定する請求項１記載の画像処理装置。
【請求項３】
前記記録データが撮影日時データであり、前記ソート処理手段は、前記撮影日時データに基づいて前記複数の画像データの順序を決める処理を行う請求項３記載の画像処理装置。
【請求項４】
前記出力処理手段が、未記録記録媒体がセットされる記録処理ユニットに対して、前記ソート処理手段での処理結果に従って前記複数の画像データを出力する請求項１〜３のいずれか１項に記載の画像処理装置。
【発明の詳細な説明】
【技術分野】
【０００１】
本発明は、画像取得ユニットで取得した複数の画像データの処理を行う画像処理装置に関し、詳しくは、複数の記録媒体から取得した画像データを処理する技術に関する。
【背景技術】
【０００２】
上記のように構成された画像処理装置に関連する技術として特許文献１に記載された電子アルバム装置が存在する。この特許文献１では、複数のデジタルカメラで撮影された画像データ（文献中では撮影画像）が記録されたメモリカード（記録媒体）をカードリーダにセットして画像データのファイルを読み込む。このように読み込んだファイルは、識別情報に基づいてサブフォルダに振り分けて格納される。このサブフォルダは個別画像フォルダの下層に形成されたものであり、このようにサブフォルダに画像データを格納する処理を複数のデジタルカメラ夫々のメモリカードについて実行する。この後、画像リストを作成し、この画像リストに応じた画像データを未記録記録媒体（文献中ではＣＤ）に書き込む処理が示されている。
【０００３】
また、この特許文献１の電子アルバム装置は、画像データのファイルにはＥｘｉｆフォーマットに従ってＥｘｉｆデータが記録され、このＥｘｉｆデータを識別情報として用い、この識別情報に基づいてフォルダを生成し、そのフォルダに画像データを保存する処理形態が記載されている。
【特許文献１】特開２００３‐１８５１３号公報
【発明の開示】
【発明が解決しようとする課題】
【０００４】
特許文献１に記載された電子アルバム装置では、複数のデジタルカメラで撮影された画像データを取得した後に、識別情報に基づいてデジタルカメラ毎の画像データを抽出して記録媒体に書き込む処理を実現するものである。また、特許文献１には記載されていない点であるが、複数のデジタルカメラで撮影した画像データを１つの記録媒体に記録する処理を行いたい面もある。
【０００５】
具体的に説明すると、修学旅行や社内旅行やイベント等に参加した複数の者がデジタルカメラで撮影した画像データは、同じ被写体を撮影した画像データであっても撮影方向が異なり、撮影タイミングが異なるものとなる。従って、多様なシーンを含む画像データを記録した電子アルバムを作成する場合には、複数の者が撮影した画像データを含むものにすることが好ましい。
【０００６】
しかしながら、複数の者が撮影した画像データを撮影者毎に記録媒体に記録するものでは、読み出す際に撮影タイミングや撮影場所に纏まりがなく、観賞し難い面において改善の余地がある。
【０００７】
これと同様の不都合は、個人が複数のデジタルカメラを使用する場合にも同様に発生するものである。つまり、この個人が複数のデジタルカメラで使用した複数の記録媒体を１つのオーダとして処理を行う場合には、撮影者が同じであるにも拘わらず、纏まりのない出力が行われるため、纏まりのある出力が望まれるのである。
【０００８】
本発明の目的は、取得した複数の画像データを纏まりのある形態で出力する画像処理装置を合理的に構成する点にある。
【課題を解決するための手段】
【０００９】
本発明の特徴は、画像取得ユニットで取得した複数の画像データの処理を行う画像処理装置において、
前記画像取得ユニットにおいて複数のオーダに対応する記録済記録媒体から画像データを取得する画像データ取得手段を備えると共に、
この画像データ取得手段で取得した画像データを、オーダ単位でソートするオーダ内ソートモードでの処理と、複数のオーダに含まれる全ての画像データをソートする全ソートモードでの処理とを選択可能なソート処理手段を備え、このソート処理手段での処理結果に従って複数の前記画像データの出力を行う出力処理手段を備えている点にある。
【００１０】
この構成により、画像データ取得手段が、画像取得ユニットにおいて複数のオーダに対応する記録済記録媒体から画像データを取得し、このように取得した画像データをソート処理手段が、オーダ内ソートモードによってオーダ単位でソートする、又は、全ソートモードによって複数のオーダに含まれる全ての画像データをソートする。このようにソートが行われた後には、このソート処理手段での処理結果に従って出力手段が複数の画像データの出力を行うことになる。その結果、取得した複数の画像データを纏まりのある形態で出力する画像処理装置が合理的に構成された。
【００１１】
本発明は、前記ソート処理手段が、画像データとともにに記録された記録データに基づいてグループ分け、又は、出力順序を設定しても良い。
【００１２】
この構成により、ソート処理手段は、画像データに記録された記録データに基づいて、複数の画像データのグループ分け、又は、複数の画像データの出力順序を設定でき、纏まりのある形態での出力が可能となる。
【００１３】
本発明は、前記記録データが撮影日時データであり、前記ソート処理手段は、前記撮影日時データに基づいて前記複数の画像データの順序を決める処理を行っても良い。
【００１４】
この構成により、撮影日時データを利用することにより、ソート処理手段が複数の画像データの順序を決めることにより、撮影順に従って複数の画像データを出力できる。
【００１５】
本発明は、前記出力処理手段が、未記録記録媒体がセットされる記録処理ユニットに対して、前記ソート処理手段での処理結果に従って前記複数の画像データを出力しても良い。
【００１６】
この構成により、ソート処理手段での処理結果に対応する出力形態に従って、複数の画像データを記録処理ユニットに伝送することにより、この記録処理ユニットにおいてＣＤ−Ｒ等の未記録記録媒体に対してグループ化した状態、又は、順序を設定した状態で画像データを記録きる。
【発明を実施するための最良の形態】
【００１７】
以下、本発明の実施形態を図面に基づいて説明する。
〔全体構成〕
図１に示すように、デスク状のコンソール部１に対して現像済み写真フィルムＦのコマ画像を光電変換によりデジタル信号化して画像データとして取得するフィルムスキャナ２と、各種情報を表示するモニタ３と、汎用コンピュータで成る画像処理部４と、キーボード５と、マウス６と、ＣＤ−ＲやＤＶＤ−Ｒ等のディスク型メディアＭｄ（未記録記録媒体の一例）に対して画像データを保存するディスク処理部１０（記録処理ユニットの一例）とを備えると共に、各種メディアＭから画像データを取得し、通信ケーブルＣを介して前記画像処理部４に伝送する受付端末２０を備えて画像処理装置が構成されている。
【００１８】
この画像処理装置は、前記画像処理部４から画像データとプリント出力に必要なデータとを通信ケーブルＣを介して写真プリント部Ｐに伝送することにより、この写真プリント部Ｐにおいてプリント媒体としての印画紙にプリントする機能を有する。
【００１９】
本実施形態では、デジタルカメラ（図示せず）で使用されるコンパクトフラッシュ（Compact Flash・商標）、ＳＤメモリカード（SD memory card・商標）、メモリースティック(Memory Stick・商標)等の記録媒体を半導体型メディアＭｓと称し、また、ＣＤ−Ｒ（Compact Disc−Recordable）、ＤＶＤ−Ｒ（Digital Versatile Disk−Recordable）、ＭＯ（Magnet Optical Disk）等のディスク型の記録媒体をディスク型メディアＭｄと称している。
【００２０】
また、デジタルカメラで使用され、画像データを記録したコンパクトフラッシュ等の半導体型メディアＭｓが本発明の記録済記録媒体に相当し、画像データが記録されるＣＤ−ＲやＤＶＤ−Ｒ等のディスク型メディアＭｄが本発明の未記録記録媒体に相当するが、この記録済記録媒体と未記録記録媒体との差異は明らかであるので、これらをメディアＭと総称する。更に、未記録記録媒体としてはディスク型メディアＭｄに限るものではなく、半導体型メディアＭｓであっても良い。
【００２１】
前記画像処理部４は、ディスク型メディアＭｄの構造に対応したディスクドライブ７と、半導体型メディアＭｓからの情報を取得するように半導体型メディアＭｓの構造に対応した半導体ドライブ８とを備えている。このディスクドライブ７と半導体ドライブ８とは画像取得ユニットとして機能すると同時に、画像データをメディアＭに記録（メディア出力）するための記録処理ユニットとしても機能する。
【００２２】
前記画像処理部４は、前記フィルムスキャナ２で取得した画像データ、あるいは、ディスクドライブ７や半導体ドライブ８で取得した画像データを、この画像処理部４に内蔵した半導体メモリ３３（ＲＡＭ）やハードディスクＨＤ（図２を参照）に保存する。また、必要な場合には画像データの補正処理を行い、この補正後の画像データを写真プリント部Ｐに伝送してプリント出力を実現すると共に、画像データを前記ディスク型メディアＭｄ、あるいは、半導体型メディアＭｓに記録（メディア出力）する処理を実現する（この記録処理は後述する）。
【００２３】
前記フィルムスキャナ２は、下部に発光ダイオードやハロゲンランプ等を有した光源部を配置し、中間部にズームレンズを配置し、上部にズームレンズからの情報をＲ（赤）、Ｇ（緑）、Ｂ（青）３原色に色分解して取り込むラインＣＣＤ型の光電変換部を配置した構造を有している。このフィルムスキャナ２で写真フィルムＦのスキャニングを行う場合には、その写真フィルムＦのサイズに適合したフィルムキャリア２Ａを光源部の上面に装着してスキャニングを開始することにより、写真フィルムＦを副走査方向（長手方向）に搬送する作動と同期して光電変換部において写真フィルムＦの画像を主走査方向に走査する形態でデジタル信号化して取り込む処理が行われる。
【００２４】
前記ディスク処理部１０は、本体１０Ａの上部に配置したプリント部１０Ｐと、本体１０Ａの中間部に配置した書込部１０Ｗと、ＣＤ−ＲやＤＶＤ−Ｒ等のディスク型メディアＭｄの給排を行うピッカー１１とを備えている。
【００２５】
前記プリント部１０Ｐは、水平方向に出退作動自在なトレイ１２と、このトレイ１２に載置されたディスク型メディアＭｄの表面（レーベル面）に情報をプリントするインクジェット型のプリントヘッド（図示せず）とを備えている。前記書込部１０Ｗは、水平方向に出退作動自在なトレイ１３と、このトレイ１３に載置されたディスク型メディアＭｄに対して情報を書き込む書込ヘッド（図示せず）とを備えている。
【００２６】
前記ピッカー１１は、ディスク型メディアＭｄを挟持する状態と分離する状態とに切り換える作動を行うと共に、昇降部１６に沿って昇降作動を行い、この昇降部１６の縦向きの軸芯を中心として揺動作動を行う。また、このピッカー１１は、未処理ディスクストッカー１４のディスク型メディアＭｄを持ち上げて前記プリント部１０Ｐ、あるいは、書込部１０Ｗに供給し、この書込部１０Ｗでの処理の後のディスク型メディアＭｄを処理済ディスクストッカー１５に排出する作動を実現する。
【００２７】
このディスク処理部１０は以下のように作動する。つまり、前記未処理ディスクストッカー１４のディスク型メディアＭｄをピッカー１１が挟持して持ち上げ、前記プリント部１０Ｐのトレイ１２に供給することでディスク型メディアＭｄの表面（レーベル面）にプリントヘッドが記録内容を示す情報等のプリントを行う。次に、プリントされたディスク型メディアＭｄをピッカー１１で挟持して書込部１０Ｗのトレイ１３に供給してデータを記録する。このプリントと記録とが終了したディスク型メディアＭｄを再びピッカー１１で挟持し、このピッカー１１を縦向き姿勢の軸芯周りで揺動させ、前記処理済ディスクストッカー１５の上方から下方に送り込む形態でディスク型メディアＭｄが集積する。
【００２８】
〔受付端末〕
前記受付端末２０は、筐体２１と、液晶型のディスプレイ２２とを備えている。この筐体２１の前部には半導体型メディアＭｓの構造に対応した半導体ドライブ２３と、ディスク型メディアＭｄの構造に対応したディスクドライブ２４と、デジタルカメラ付き携帯電話機Ｔに接続するコネクタ２５と、引換証２６をプリントする引換証プリンタ２７とを備え、筐体２１の内部にはオーダの取得から前記画像処理部４に伝送する処理までを行うようにマイクロプロセッサＣＰＵを有した制御装置２８を備えている。
【００２９】
前記ディスプレイ２２は表示面にタッチパネルが形成され、前記制御装置２８にはディスプレイ２２に表示されたアイコンに指等を接触させることにより必要とする操作を実現するＧＵＩ型のインタフェースを備えている。尚、前記半導体ドライブ２３とディスクドライブ２４とが本発明の画像取得ユニットとして機能する。
【００３０】
この受付端末２０は、デジタルカメラ（図示せず）で撮影に使用した半導体型メディアＭｓを顧客が半導体ドライブ２３セットし、前記ディスプレイ２２に表示されたアイコン等に顧客が指等を接触させるセルフサービスの形態で操作することにより、半導体ドライブ２３から画像データを取得し、通信ケーブルＣを介して画像処理部４に伝送し、顧客が指定した形態での出力処理を実現する（処理形態は後述する）。
【００３１】
図面には示していないが、前記写真プリント部Ｐは、銀塩印画紙に前記画像データの露光を行った後、現像処理槽において現象処理を行い、この後に乾燥した状態で送り出す処理を行う。因みに、この写真プリント部Ｐは銀塩印画紙を用いるものに限るものではなく、非銀塩紙にインクジェット型のプリントヘッドで画像データをプリントする処理を行うものであっても良い。
【００３２】
本発明の画像処理装置は、取得した画像データを写真プリント部Ｐに伝送することにより印画紙等のプリント媒体にプリントする処理と、この画像データを前記ディスク処理部１０に伝送することによりＣＤ−ＲやＤＶＤ−Ｒ等のディスク型メディアＭｄに記録（メディア出力）して電子アルバムを作成する処理とを実現する。尚、電子アルバムとは、画像データを記録したディスク型メディアＭｄを家庭用のコンピュータにセットした際に、記録した画像データを、コンピュータのディスプレイに対してシーケンシャルに表示し、この表示と連係して音楽を出力する再生プログラムを具備するものを指す。
【００３３】
〔制御系の構成〕
図２に示すように前記画像処理装置の制御系が構成されている。つまり、画像処理部４は、マイクロプロセッサＣＰＵに信号のアクセスを行う入出力インタフェース３１を備えており、この入出力インタフェース３１に対して前記フィルムスキャナ２、モニタ３、キーボード５、マウス６、ディスクドライブ７、半導体ドライブ８、ディスク処理部１０、ハードディスクＨＤ夫々に対する信号のアクセスを実現する信号系が形成されている。また、この入出力インタフェース３１は通信ユニット３２に接続し、通信ユニット３２と前記写真プリント部Ｐと、受付端末２０との間に前記通信ケーブルＣが形成されている。
【００３４】
前記画像処理部４は、マイクロプロセッサＣＰＵのデータバスに半導体メモリ３３（ＲＡＭ／ＲＯＭ）、オペレーティングシステム３４、画像データ取得手段３５、プリント実行手段３６、Ｅｘｉｆデータ取得手段３７、ソート処理手段３８、記録実行手段３９、画像処理手段４０夫々が接続している。ちなみに、この画像処理部４において制御を実現するためにはデータバスの他にコントロールバスやアドレスバス等を必要とするものであるが、複雑化を避けるために図面にはコントロールバスやアドレスバス、あるいは、インタフェース類を示していない。
【００３５】
前記オペレーティングシステム３４は、モニタ３に対して必要な情報を表示し、モニタ３に表示された情報に基づき、この画像処理部４にインストールされている各種のソフトウエアによるＧＵＩ（Graphical User Interface）型の処理を実現する。
【００３６】
前記画像データ取得手段３５は、前記フィルムスキャナ２、ディスクドライブ７、半導体ドライブ８から画像データを取得すると共に、前記受付端末２０の半導体ドライブ２３あるいはディスクドライブ２４を介して画像データを取得し、前記ハードディスクＨＤに保存する処理を実現する。
【００３７】
前記プリント実行手段３６は、本発明の出力処理手段の一例であり、プリント出力に必要なプリントサイズのデータとプリント枚数とを指定するオーダデータと共に前記画像データを前記写真プリント部Ｐに伝送することにより、写真プリント部Ｐにおいてプリント出力を実現する。この写真プリント部Ｐでは、前記オーダデータにおいて１枚の印画紙に１つの画像データをプリントする通常プリント（通常プリント出力）と、１枚の印画紙に複数の画像データをプリントするインデックスプリント（インデックスプリント出力）とを指定することが可能である。
【００３８】
前記Ｅｘｉｆデータ取得手段３７は、取得した画像データ夫々のヘッダーにおいてＥｘｉｆフォーマット（Exchangeable Image File Format）形式で記録されているＥｘｉｆデータ（記録データの一例）を取得する処理を実現する。このＥｘｉｆデータは、画像データを構成するファイルのヘッダー部分に保存される情報であり、撮影日時データ、撮影位置を示すＧＰＳデータ（経度緯度情報）、デジタルカメラの機種を示すデータ、シャッタースピードを示すデータ、絞りの値を示すデータ等の撮影環境に関連する情報、あるいは、画像データの圧縮モード、画素数等の画像に直接関連する情報等を保存し得るものである。
【００３９】
前記ソート処理手段３８は、前記Ｅｘｉｆデータ取得手段３７で取得したＥｘｉｆデータに基づいて、画像データをオーダ単位でソートするオーダ内ソートモードでの処理と、複数のオーダに含まれる全ての画像データをソートする全ソートモードでの処理とを選択可能に構成され、このソート処理として、複数の画像データをグループ分けするグループ化処理、又は、順序を設定する処理を行い、このソート処理の結果としてソートテーブルを生成する。
【００４０】
このソート処理手段３８は、図３に示す設定画面５０をモニタ３に表示することにより、ソート処理に必要な情報を取得する。この設定画面５０には、出力形態設定部５１と、ソート対象設定部５２と、ソート形態設定部５３と、ＯＫボタン５４と、キャンセルボタン５５とが形成されている。
【００４１】
前記出力形態設定部５１には、通常プリントのチェック部５１Ａと、インデックスプリントのチェック部５１Ｂと、ＣＤ−Ｒ出力のチェック部５１Ｃと、このチェック部５１Ｃを選択した際に選択可能となるビューワ出力のチェック部５１ＣＸとが形成されている。
【００４２】
前記ソート対象設定部５２には、オーダ内ソートのオプション部５２Ａ（オーダ内ソートモードを選択するオプション）と、このオプション部５２Ａを選択した際に参照する参照リスト部５２ＡＬと、全ソートのオプション部５２Ｂ（全ソートモードを選択するオプション）と、このオプション部５２Ｂを選択した際に参照する参照リスト部５２ＢＬとが形成されている。
【００４３】
前記ソート形態設定部５３には、撮影日時のオプション部５３Ａと、このオプション部５３Ａを選択した際に選択可能となる（オプション部５３Ａの下位となる）撮影順のオプション部５３ＡＸと、このオプション部５３Ａを選択した際に選択可能となるグループ化のオプション部５３ＡＹとが形成されると共に、撮影場所のオプション部５３Ｂと、このオプション部５３Ｂを選択した際に選択可能となる（オプション部５３Ｂの下位となる）撮影日時のオプション部５３ＢＸと、このオプション部５３Ｂを選択した際に選択可能となるランダムのオプション部５３ＢＹとが形成されている。
【００４４】
この設定画面５０では、画面上でカーソル（図示せず）の操作によってカーソルをチェック部、あるいは、オプション部に一致させてマウス６のスイッチをクリックすることや、キーボード５の特定のキーを操作することで選択状態に達し、選択状態であることを示すチェックやドットがモニタ３に表示される。これと同様にＯＫボタン５４やキャンセルボタン５５を操作する際にもカーソルで選択し、マウス６のスイッチをクリックすることや、キーボード５の特定のキーを操作することで操作が実現する。
【００４５】
前記記録実行手段３９は、本発明の出力処理手段の一例であり、前記ソート処理手段３８の処理結果に従って複数の画像データを前記ハードディスクＨＤから読み出して前記ディスク処理部１０に伝送することにより、ディスク型メディアＭｄに画像データを記録する処理を実現する。
【００４６】
前記画像処理手段４０は、画像データを写真プリント部Ｐに伝送する際に、前記通常プリントを実行する際にプリントサイズに対応した画素数に変換したプリント用のデータを生成することや、前記インデックスプリントを実行する際に前記複数の画像データを縮小し（画素数を減じ）、前記ソートテーブルに従って配置したプリント用のデータを生成し、更に、画像データをＣＤ−Ｒ等のメディアＭに記録する際に、必要に応じて画素数を変換する処理を行う。
【００４７】
尚、図２に示すように、受付端末２０の制御装置２８には、前記ディスプレイ２２と、半導体ドライブ２３と、ディスクドライブ２４と、コネクタ２５と、引換証プリンタ２７との間で情報がアクセスする信号系が形成されている。
【００４８】
〔処理形態〕
この画像処理装置では、複数のメディアＭを受け付けた状況において、複数のメディアＭから前記画像データ取得手段３５が画像データを取得し、このように取得した画像データを、前記ソート処理手段３８がオペレータの指示に対応してソート処理を行い、このソート処理に従って前記プリント実行手段３６、又は、前記記録実行手段３９が出力処理を行う。この処理を図４のフローチャートに示しており、このフローチャートでの処理を以下に説明する。
【００４９】
例えば、デジタルカメラで撮影された画像データを記録した半導体型メディアＭｓを前記画像処理部４の半導体ドライブ８、あるいは、前記受付端末２０の半導体ドライブ２３にセットし、オペレータ、あるいは、顧客が画像データを取得する操作を行うことにより、前記画像データ取得手段３５が、その半導体型メディアＭｓからの画像データにオーダ名（オーダを識別する識別情報）を付与してハードディスクＨＤに保存する（＃０１ステップ）。
【００５０】
このように付与されるオーダ名は、オペレータあるいは顧客が任意に指定することも可能であるが、指定しない場合には、前記画像データ取得手段３５が、他のオーダ名と区別可能な数字等を与える。
【００５１】
また、画像データを取得する際に前記画像データ取得手段３５は、複数の半導体型メディアＭｓに記録された画像データを１つのオーダとして取得する（例えば、読み取った画像データに対し、同じオーダ名を設定することで、複数の半導体メディアに記録された画像データを同一オーダにすることができる。）ことも可能である。更に、取得した画像データは１つ（１コマ）の画像データが１つのファイルとするデータ構造を備えており、夫々の画像データにはメディアＭに記録する際に、デジタルカメラにおいて画像データ毎に与えられた名称が画像データのファイル名として引き継がれる。
【００５２】
次に、ソート処理手段３８が図３に示す設定画面５０をモニタ３に表示し、この設定画面５０の出力形態設定部５１と、ソート対象設定部５２と、ソート形態設定部５３とに対するオペレータの入力に基づいてソート処理に必要な設定データを取得する（＃０２ステップ）。
【００５３】
次に、前記設定画面５０の前記ソート対象設定部５２においてソート対象が「オーダ内」（オーダ内ソート：オーダ内ソートモード）である場合（オプション部５２Ａが選択されている場合）には、前記参照リスト部５２ＡＬで指定されたオーダに含まれる複数の画像データをソート対象に設定し、ソート対象が「全」（全ソート：全ソートモード）である場合（オプション部５２Ｂが選択されている場合）には、前記参照リスト部５２ＢＬで指定された複数のオーダに含まれる複数の画像データをソート対象に設定する（＃０３〜＃０５ステップ）。
【００５４】
このソート対象設定部５２では、前記参照リスト部５２ＡＬにカーソルをセットしてマウス６のスイッチをクリックする等の操作で、この参照リスト部５２ＡＬに複数のオーダ名が表示され、オペレータは、この表示から１つのオーダ名をソート対象として選択することが可能となる。また、前記参照リスト部５２ＢＬカーソルをセットしてマウス６のスイッチをクリックする等の操作で、この前記参照リスト部５２ＢＬに複数のオーダ名が表示され、オペレータは、この前記参照リスト部５２ＢＬにおいて複数のオーダ名を選択することが可能となる。
【００５５】
このようにオーダを指定した場合には、指定されたオーダに含まれる全ての画像データのファイル名を一覧化したデータが生成される。
【００５６】
次に、前記設定画面５０の前記ソート形態設定部５３においてソート形態が「日時」（撮影日時）である場合（オプション部５３Ａが選択されている場合）には、撮影日時ソート処理を実行し、前記設定画面５０の前記ソート形態設定部５３においてソート形態が「場所」（撮影場所）である場合（オプション部５３Ｂが選択されている場合）には、撮影場所ソート処理を実行する（＃０６、＃１００、＃２００ステップ）。
【００５７】
前記撮影日時ソート処理（＃１００ステップ）と、前記撮影場所ソート処理（＃２００ステップ）はサブルーチンとしてセットされ、これらのサブルーチンはソート処理手段３８が実現する。
【００５８】
前記撮影日時ソート処理（＃１００ステップ）は図５のフローチャートに示すように、ソート対象に設定された全ての画像データのファイルヘッダーに記録されたＥｘｉｆデータから撮影日時データを抽出し（＃１０１ステップ）、処理形態が「撮影順」である場合には（前記ソート形態設定部５３のオプション部５３Ａの下位のオプション部５３ＡＸが選択されている場合には）、撮影日時データの撮影順（早期に撮影されたものから）に画像データのファイル名を配列したソートテーブルを生成する（＃１０２、＃１０３ステップ）。
【００５９】
処理形態が「グループ化」である場合には（前記ソート形態設定部５３のオプション部５３Ａの下位のオプション部５３ＡＹが選択されている場合には）、全ての画像データの撮影日時データから撮影期間を求め、この期間を複数に分割し、更に、分割された期間に含まれる撮影日時データとなるように画像データのファイル名をランダムに配列したソートテーブルを生成する（＃１０２、＃１０４、＃１０５ステップ）。
【００６０】
前記撮影場所ソート処理（＃２００ステップ）は図６のフローチャートに示すように、ソート対象に設定された全ての画像データのファイルヘッダーに記録されたＥｘｉｆデータからＧＰＳデータと撮影日時データとを抽出し（＃２０１ステップ）、抽出不能である場合にはエラーメッセージを前記モニタ３に出力して処理を終了する。
【００６１】
また、ＥｘｉｆデータからＧＰＳデータと撮影日時データとを抽出した場合には、撮影位置データを複数の領域に分類する（＃２０４ステップ）。ＧＰＳデータは経度と緯度とを示す数値として与えられるものであり、この処理では、複数の撮影位置から、これらの撮影位置を含む領域を複数の領域に分類する（グループ化のための処理）。
【００６２】
次に、処理形態が「撮影順」である場合には（前記ソート形態設定部５３のオプション部５３Ｂの下位のオプション部５３ＢＸが選択されている場合には）、複数の分類に撮影位置が含まれる画像データの撮影日時データが撮影順（早期に撮影されたものから）となるように画像データのファイル名を配列したソートテーブルを生成する（＃２０５、＃２０６ステップ）。具体的には、略同じ位置で撮影された複数の画像データが同じグループとなるように分類し、このように分類された複数の画像データを更に撮影順に配列するソートテーブルを生成することにより、略同じ位置で撮影された画像データを撮影順に出力する処理を可能にするのである。
【００６３】
また、処理形態が「ランダム」である場合には（前記ソート形態設定部５３のオプション部５３Ｂの下位のオプション部５３ＢＹが選択されている場合には）、複数の分類に撮影位置が含まれる画像データの撮影日時データがランダムとなるように画像データのファイル名を配列したソートテーブルを生成する（＃２０５、＃２０７ステップ）。具体的には、略同じ位置で撮影された複数の画像データが同じグループとなるように分類し、このように分類された複数の画像データを更に、撮影日時がランダムとなるようにソートテーブルを生成することにより、同じ位置で撮影された画像データを撮影日時に無関係に出力する処理を可能にするのである。
【００６４】
このように撮影日時ソート処理（＃１００ステップ）と、前記撮影場所ソート処理（＃２００ステップ）を終了した後には、前記撮影日時ソート処理（＃１００ステップ）、又は、前記撮影場所ソート処理（＃２００ステップ）でのソート処理の処理結果に従って（図５、図６のフローチャートに示すソートテーブルに従って）、前記プリント実行手段３６又は記録実行手段３９が出力処理を行う（＃０７ステップ）。
【００６５】
この出力処理では、前記設定画面５０の前記出力形態設定部５１において出力形態が通常プリントである（チェック部５１Ａが選択されている）場合には、ソートテーブルで指定された画像データを、ソートテーブルの順序に従って抽出して、写真プリント部Ｐに伝送する形態でのプリントする処理が実行される。このプリント時には、予め設定されたプリントサイズの１枚の印画紙に対して１つの画像データをプリントするプリント形態で処理が実行される。
【００６６】
前記設定画面５０の前記出力形態設定部５１において出力形態がインデックスプリントである（チェック部５１Ｂが選択されている）場合には、ソートテーブルの順序に従って複数の画像データを１枚の印画紙上に配列する形態でのプリント出力が実行される。このようにインデックスプリントを実行する場合には、前記画像処理手段４０によってソートテーブルで指定された画像データを縮小する処理が行われ、このように縮小された画像データをソートテーブルの順序でプリント部に伝送する形態でのプリント出力が実行される。特に、複数のオーダの画像データが指定された場合のように、画像データの数が多く、１枚の印画紙に全ての画像データをプリントできない場合には、ソートテーブルで指定された画像データを複数枚の印画紙に亘ってプリントするプリントが実行される。
【００６７】
前記設定画面５０の前記出力形態設定部５１において出力形態がＣＤ−Ｒ出力である（チェック部５１Ｃが選択されている）場合には、ＣＤ−Ｒに対して、ソートテーブルで指定された画像データをソートテーブルの順序に従って、記録する処理が行われる。
【００６８】
この処理では、画像データを記録するメディアＭとしてＣＤ−Ｒ以外のメディアＭを使用することも可能であり、ＣＤ−Ｒ等のメディアＭに記録される画像データは、デジタルカメラにおいてメディアＭに記録したサイズ（画素数）で、メディアＭに記録された圧縮形式（例えば、ＪＰＥＧ形式〈Joint Photographic Experts Groupが制定した形式〉）が採用されるが、大きいサイズの場合には、前記画像処理手段４０によって画素数を低減するように処理形態を設定して良く、また、画像データの圧縮形式を変更するものであっても良い。
【００６９】
また、ＣＤ−Ｒ等のメディアＭに画像データとともにビューワを記録した場合には、この記録後のＣＤ−Ｒ等を家庭用のコンピュータにセットした際に、このビューワによって、複数の画像データを、コンピュータのモニタに対してシーケンシャルに表示し、この表示に連係して音楽（ＢＧＭ）を再生する処理を実現する。
【００７０】
この処理の一例として、受付端末２０の半導体ドライブ２８において半導体型メディアＭｓから画像データを取得し、この画像データをプリントする際、及び、ＣＤ−Ｒ等のディスク型メディアＭｄに記録する際におけるデータの流れの概要を図７に示している。
【００７１】
〔出力による特徴的な機能〕
このように、本発明によると、１つのオーダであっても、複数のオーダであっても、複数のメディアＭから取得した画像データのソート処理を行うことにより、複数のメディアＭに記録された複数の画像データを撮影順にプリントすることや、この撮影順でＣＤ−Ｒ等に記録することにより、この撮影順に再生することを可能にするばかりでなく、複数の画像データが撮影された撮影期間を複数に分割し、このように分割した期間に含まれる複数の画像データをグループ化して撮影時間がランダムになるようにプリントすることや、この順序でＣＤ−Ｒに保存し、この順序で再生することを可能にしている。
【００７２】
また、ＧＰＳ機能を備えたデジタルカメラで撮影された画像データや、デジタルカメラ付き携帯電話機で撮影された画像データは、撮影位置を特定することが可能である。このような理由から１つのオーダであっても、複数のオーダであっても、複数のメディアＭから取得した画像データのソート処理を行うことにより、同じ領域に含まれる画像データを撮影順序に従ってプリントすることや、この撮影順序に従ってＣＤ−Ｒ等に記録することにより、同じ領域で撮影された画像データを撮影順に再生することを可能にするばかりでなく、同じ領域に含まれる画像データをランダムにプリントすることや、これと同様に画像データをランダムにＣＤ−Ｒ等に記録することにより、同じ領域に含まれる画像データをランダムに再生することを可能にしている。
【００７３】
〔別実施形態〕
本発明は、上記した実施の形態以外に以下のように構成しても良い。
【００７４】
（ａ）設定画面５０を受付端末２０のディスプレイ２２に表示し、顧客が受付端末２０においてソート処理の処理形態を設定できるように構成する。
【００７５】
（ｂ）ソート処理によって出力される画像データの一覧を、サムネイル等の形式でモニタ３に表示することで、ソート処理の結果を確認できるように処理形態を設定する。
【図面の簡単な説明】
【００７６】
【図１】画像処理装置の斜視図
【図２】画像処理装置のブロック回路図
【図３】処理画面を示す図
【図４】基本的な処理を示すフローチャート
【図５】撮影日時ソート処理のフローチャート
【図６】撮影場所ソート処理のフローチャート
【図７】画像データの取得から出力までの処理の流れを模式的に示す図
【符号の説明】
【００７７】
４            画像処理装置
７            画像取得ユニット（ディスクドライブ）
８            画像取得ユニット（半導体ドライブ）
１０          記録処理ユニット（ディスク処理部）
３５          画像データ取得手段
３８          ソート処理手段
Ｍ            記録媒体（メディア）
Ｐ            プリント部（写真プリント部）
【図１】
2007241722.tif 000003
【図２】
2007241722.tif 000004
【図３】
2007241722.tif 000005
【図４】
2007241722.tif 000006
【図５】
2007241722.tif 000007
【図６】
2007241722.tif 000008
【図７】
2007241722.tif 000009